(57)【要約】【課題】光トランシーバのメンテナンスの簡素化を可能とする。【解決手段】光トランシーバは、当該トランシーバの異常を検出したときアラーム信号を生成する異常検出部と、アラーム信号に応答して発光する発光部とを備える。また光トランシーバは、アラーム信号に応答して光トランシーバとコネクタとの接続を解除する接続解除部を備えてもよい。異常が発生したとき、ユーザは異常のある光トランシーバを視認することができる。【選択図】図１
2010118953.tif 000002
【特許請求の範囲】
【請求項１】
当該光トランシーバの異常を検出したときアラーム信号を生成する異常検出部と、
前記アラーム信号に応答して発光する発光部
とを具備する光トランシーバ。
【請求項２】
請求項１に記載された光トランシーバであって、
前記異常は、前記光トランシーバの出力光が所定の基準を満たしていないことを示す光トランシーバ。
【請求項３】
請求項１又は２に記載された光トランシーバであって、
更に、前記アラーム信号に応答して前記光トランシーバとコネクタとの接続を解除する接続解除部を具備する光トランシーバ。
【請求項４】
請求項３に記載された光トランシーバであって、
前記接続解除部はモーターによって前記他の機器との接続を解除する光トランシーバ。
【請求項５】
請求項３又は４に記載された光トランシーバであって、
更に、バッテリを具備し、
前記接続解除部が前記接続を解除したとき、前記バッテリは前記発光部に発光のための電力を供給する
光トランシーバ。
【請求項６】
請求項４又は５に記載された光トランシーバと、
前記コネクタとを具備し、
前記コネクタは、接続された前記光トランシーバを前記コネクタから外れる方向に付勢する付勢部材を備え、
前記光トランシーバは、前記コネクタに対して前記光トランシーバを所定位置で固定するための固定部を備え、
前記接続解除部は、前記固定部を前記モーターで動かすことにより前記コネクタとの接続を解除する
光トランシーバシステム。
【請求項７】
当該光トランシーバの異常を検出したときアラーム信号を生成する異常検出部と、
前記アラーム信号に応答して前記光トランシーバとコネクタとの接続を解除する接続解除部
とを具備する光トランシーバ。
【請求項８】
光トランシーバの異常を検出したときアラーム信号を生成し、
前記アラーム信号に応答して前記光トランシーバが具備する発光部を発光させる
光トランシーバの動作方法。
【請求項９】
光トランシーバの異常を検出したときアラーム信号を生成し、
前記アラーム信号に応答して前記光トランシーバとコネクタとの接続を解除する
光トランシーバの動作方法。
【発明の詳細な説明】
【技術分野】
【０００１】
本発明は、通信システムに利用される光送受信モジュールに関する。
【背景技術】
【０００２】
近年、通信トラフィックの増大によりネットワークが複雑化し、必要な光通信装置が増大している。そのため、必要な光構成要素の数が多くなっている。光通信装置のメンテナンス方法も複雑化し、効率よく保守していくことは容易ではない。光構成要素の一つである光トランシーバにおいて、光通信装置のメンテナンスの簡素化が望まれている。
【０００３】
アラーム機能を有する光送受信モジュールが知られている。こうした光送受信モジュールは、送信光出力の異常を検出すると、その異常を示す電気信号である異常信号を出力する。光送受信モジュールを搭載したホスト装置は、その異常信号を受信すると、ＬＥＤを点灯するなどの出力を行う。ユーザはこうした出力に基づいて光送受信モジュールの異常を視覚的に確認することができる。
【０００４】
以下に出願人が知り得た先行技術文献を挙げる。
【特許文献１】特開２００４−１０４７０６号公報
【特許文献２】特開２００６−０３２９０３号公報
【特許文献３】特開２００７−３１８５２４号公報
【特許文献４】特開平０７−２０２８０６号公報
【発明の開示】
【発明が解決しようとする課題】
【０００５】
しかしながら、こうした異常警告方法では、複数のポートを有する通信装置システムではそのポート数の分だけＬＥＤが必要である。また装置内にて電気信号をＬＥＤへ伝達する経路を確保しなければならないため、装置の設計が困難となる。
【０００６】
光送受信モジュールの一種として、スモールフォームファクタ・プラガブル（Ｓｍａｌｌ  Ｆｏｒｍ  Ｆａｃｔｏｒ  Ｐｌｕｇｇａｂｌｅ：ＳＦＰ）モジュールや１０ギガビットスモールフォームファクタ・プラガブル（Ｔｅｎ（Ｘ）Ｇｉｇａｂｉｔ  Ｓｍａｌｌ  Ｆｏｒｍ  Ｆａｃｔｏｒ  Ｐｌｕｇｇａｂｌｅ：ＸＦＰ）モジュールが知られている。こうした光送受信モジュールは、挿抜可能で容易に取り付け及び取り外しができる。しかし送信光の出力に異常が検出された場合、光送受信モジュールの手動での取り外しが必要となるため作業効率が悪い。
【０００７】
光トランシーバのメンテナンスを更に簡素化することを可能とする技術が望まれる。
【課題を解決するための手段】
【０００８】
本発明の一実施形態による光トランシーバは、当該光トランシーバの異常を検出したときアラーム信号を生成する異常検出部と、アラーム信号に応答して発光する発光部とを備える。
【０００９】
本発明の一実施形態による光トランシーバは、当該光トランシーバの異常を検出したときアラーム信号を生成する異常検出部と、アラーム信号に応答して光トランシーバとコネクタとの接続を解除する接続解除部とを備える。
【００１０】
本発明の一実施形態による光トランシーバの動作方法は、光トランシーバの異常を検出したときアラーム信号を生成し、アラーム信号に応答して光トランシーバが具備する発光部を発光させる。
【００１１】
本発明の一実施形態による光トランシーバの動作方法は、光トランシーバの異常を検出したときアラーム信号を生成し、アラーム信号に応答して光トランシーバとコネクタとの接続を解除する。
【発明の効果】
【００１２】
挿抜型光送受信モジュール（以下光トランシーバ）自体に異常を知らせる出力手段を設けることにより、視覚的に光トランシーバの異常を発見することが可能となる。
【発明を実施するための最良の形態】
【００１３】
以下、本発明の実施形態について図面を参照して説明する。本実施形態における光トランシーバは、通常の光トランシーバと同様に、光受信部と光送信部とを備える。光受信部は、受光した光信号をフォトダイオードによって電気信号に変換する。光送信部は、内部で生成した電気信号に対応した光信号をレーザーダイオードによって生成して出力する。光送信部は更に、レーザーダイオードの出力光をモニタし、その強度を示すモニタ信号を出力する監視用フォトダイオードを備える。以下においては、要所のみを取り上げて説明する。
【００１４】
図１は光トランシーバのブロック構成を示している。光トランシーバ１０６は、レーザーダイオードドライバＩＣ１０１、ＬＤ素子１０２、ＬＥＤ１０３、モーター１０７を備える。
【００１５】
図２、図３は光トランシーバと、そのホスト装置である通信装置とを示す断面図である。光トランシーバ１０６は、プリント基板２０７、光サブアセンブリ（Ｏｐｔｉｃａｌ  Ｓｕｂ  Ａｓｓｅｍｂｌｙ：ＯＳＡ）２０２、レーザーダイオードドライバＩＣ１０１、モーター１０７、ＬＥＤ１０３、突起２０４を備える。ＯＳＡ２０２、レーザーダイオードドライバＩＣ１０１、モーター１０７、ＬＥＤ１０３はプリント基板２０７上に実装されている。前述のＬＤ素子１０２はＯＳＡ２０２内に実装されている。
【００１６】
光トランシーバ１０６は、ホスト装置である通信装置のホストボード２０８上に配置されたケージ２０１内に収納され、ホストボード２０８上に実装された電気コネクタ２１０と電気的に接続する。図２、図３においては、ケージ２０１はその外側の輪郭のみが鎖線で示されている。ケージ２０１内にはスプリング２１１が配置される。
【００１７】
次に、図１、図２、図３を参照して本実施形態における動作を説明する。図１において、レーザーダイオードドライバＩＣ１０１はＬＤ素子を駆動して、外部より入力されたデータを搬送する電気信号を光信号に変換し、光伝送路へ送出する。
【００１８】
レーザーダイオードドライバＩＣ１０１は、光トランシーバの異常を検出して、その検出結果を示すアラーム信号を生成する異常検出部として機能する。すなわち、ＬＤ素子に異常が発生すると、レーザーダイオードドライバＩＣ１０１はその異常を検出し、異常を警告するアラーム信号１０４、１０５を出力する。このアラーム信号１０４、１０５は、例えばＬＤ素子の出力光の強度が所定の基準を満たさなくなったことを監視用フォトダイオードが検出したことを示す。アラーム信号１０４はモーター１０７に送信され、アラーム信号１０５はＬＥＤ１０３に送信される。
【００１９】
図２は、通信装置のケージ部分と、そこに装着された光トランシーバ１０６を側面から見た断面図を示す。光トランシーバ１０６は、ケージ２０１の内壁をガイドとして摺動的にケージ２０１の内側に挿し込まれる。この装着状態において光トランシーバ１０６が正常に動作しているとき、ＬＥＤ１０３は消灯している。
【００２０】
装着状態において、光トランシーバ１０６が備える突起２０４は固定部材として機能する。すなわち突起は、ケージ２０１に形成された孔と嵌合し、光トランシーバ１０６を抜挿方向の所定の装着位置に固定する。具体的には、ユーザが光トランシーバ１０６をケージ２０１に挿入し、光トランシーバ１０６が備える接続端子が電気コネクタ２１０に電気的に結合されると、その結合に応答してモーター１０７は突起２０４を押し出し、その結果、突起２０４が孔と嵌合する。または、突起２０４がケージ２０１の孔の位置に到達すると、突起２０４が光トランシーバ１０６の内部に設置されたスプリングにより押し出されて、孔と嵌合する。
【００２１】
光トランシーバ１０６の上面とケージ２０１の上側の内壁面との隙間をｄ１、光トランシーバ１０６の下面とケージ２０１の下側の内壁面との隙間をｄ２とする。ｄ１＋ｄ２は、光トランシーバ１０６とケージ２０１の内部空間とのホストボード２０８に垂直な方向についての遊び幅である。装着状態において、突起２０４が光トランシーバ１０６の下面からこの垂直な方向にせり出す長さは、この遊び幅よりも大きい。このような関係が成立すると、突起２０４がせり出した状態では、光トランシーバ１０６をケージ２０１から引き抜くことはできないため、突起２０４が固定具として機能する。尚、このようにして突起２０４が固定具として機能するのであれば、突起２０４は光トランシーバ１０６の上面、側面など他の面に設けられてもよい。
【００２２】
スプリング２１１は、装着位置に配置された光トランシーバ１０６に、光トランシーバ１０６が外れる方向に、すなわちケージ２０１の奥側から手前側の方向に、光トランシーバ１０６に付勢する。このときの外観を図４に示す。光トランシーバ１０６はケージ２０１の奥まで挿し込まれた装着位置に存在する。スプリング２１１と突起２０４とは、アラーム信号に応答して光トランシーバ１０６と電気コネクタ２１０との接続を解除する接続解除部として機能する。
【００２３】
図３において、レーザーダイオードドライバＩＣ１０１がアラーム信号１０５を出力すると、ＬＥＤ１０３が点灯するように制御される。更に、アラーム信号１０４に応答してモーター１０７が駆動することにより、突起２０４が上部へ移動する。このときにケージ２０１と嵌合している突起２０４がケージ２０１から外れる。すると光トランシーバ１０６の後方部で圧縮されていたスプリング２１１が解放されて伸張する。このスプリング２１１の力により、光トランシーバ１０６は通信装置のコネクタから外れてケージ２０１の外側方向にイジェクトされる。
【００２４】
図５は、ケージ２０１からイジェクトされた光トランシーバ１０６を示す。光トランシーバ１０６は装着位置よりも外側に位置する。このとき光トランシーバ１０６がケージ２０１から完全に抜け落ちるようにスプリング２１１の力が調整されていてもよい。この場合は、視認によって光トランシーバ１０６に異常があったことが分かりやすい。またはこのとき、光トランシーバ１０６は一部のみがケージ２０１から外に抜け、奥側の一部はケージ２０１の内壁面によって、抜挿方向以外の側から支持された状態であってもよい（図５はこのような場合の図示である）。そうした場合は、光トランシーバ１０６は外側に軽く引っ張るだけでケージ２０１から外される。このような場合は、光トランシーバ１０６とそれが挿し込まれていたケージ２０１との対応関係が分かりやすい。
【００２５】
ＬＥＤ１０３は、イジェクトされた状態において、ホスト装置の外側から視認可能な位置に設置される。より好ましくは、ＬＥＤ１０３は装着状態においてもホスト装置の外側から視認可能な箇所に設置される。このように位置に設置されると、光トランシーバ１０６が正常に動作していることをＬＥＤ１０３の消灯を視認することによって確認できる。
【００２６】
光トランシーバ１０６は、ＬＥＤ１０３を点灯するためのバッテリを備える。アラーム信号１０５が発信されると、レーザーダイオードドライバＩＣ１０１はバッテリのスイッチを入れてＬＥＤ１０３に電力を供給する。この電力によりＬＥＤ１０３が点灯する。このようにして光トランシーバ１０６がイジェクトされた状態でもＬＥＤ１０３を点灯することが可能である。本実施形態の変形例として異常検出時に上述のイジェクト動作が行われず、ＬＥＤ１０３の点灯のみが行われる場合は、電気コネクタ２１０から電力を得ることができるため、光トランシーバ１０６側にバッテリは必要でない。
【００２７】
本実施形態では、光送信出力が異常を起こした場合にアラーム信号が生成されると、そのアラーム信号に応答して、光トランシーバのＬＥＤが発光し、更に光トランシーバが自動的に通信装置から取り外される。こうした動作により、可視的に異常を発見することが可能となる。また異常を可視化することで、通信装置の扱いが不慣れな作業者であっても瞬時に異常を発見することができ、通信装置のメンテナンスが容易になる。
【００２８】
この実施形態ではモーターを用いて光トランシーバとケージとの嵌合を外した。しかし光トランシーバをケージから排出するために、他の手段を採用することも可能である。例えば光トランシーバ内に電磁石（ソレノイド）を設置することで、同様の動作を実現することも可能である。この場合、アラーム信号に応答して電磁石が磁界を発生する。この磁界によって突起が動き、嵌合が外れることにより、光トランシーバがケージから外される。
【図面の簡単な説明】
【００２９】
【図１】光トランシーバのブロック構成を示す。
【図２】通信装置のケージ部分と光トランシーバの断面図を示す。
【図３】通信装置のケージ部分と光トランシーバの断面図を示す。
【図４】光トランシーバとケージの斜視図を示す。
【図５】光トランシーバとケージの斜視図を示す。
【符号の説明】
【００３０】
１０１  レーザーダイオードドライバＩＣ
１０２  ＬＤ素子
１０３  ＬＥＤ
１０４  アラーム信号
１０５  アラーム信号
１０６  光トランシーバ
１０７  モーター
２０１  ケージ
２０２  光サブアセンブリ（ＯＳＡ）
２０４  突起
２０７  プリント基板
２０８  ホストボード
２１０  電気コネクタ
２１１  スプリング
【図１】
2010118953.tif 000003
【図２】
2010118953.tif 000004
【図３】
2010118953.tif 000005
【図４】
2010118953.tif 000006
【図５】
2010118953.tif 000007